(57)【特許請求の範囲】
【請求項１】
ガラス煉瓦壁の支持フレームであって、
複数の水平ビ−ム及び複数の垂直ビームを含み、各水平ビーム及び各垂直ビームは、それぞれ、細長くて平らで、頂部、底部、２つの側部分及び２つの端部と、前記ガラス煉瓦壁を構成するガラス煉瓦の４つある側面の幅に対応する幅とを有する本体を有し、
さらに、前記本体の２つの側部分のそれぞれから突出してその長手方向に形成され、対応する前記ガラス煉瓦の側面の両縁部に配置される2つの翼部と、
細長く、前記本体の長手方向へ該本体を貫通して形成された、それぞれが相対する２つの側壁を有する２つのランプスロットと、
それぞれが対応する前記ランプスロットの前記側壁に取り付けられた透明な２つのカバー細片と、
前記本体を貫通して設けられたピン穴とを含む、ガラス煉瓦壁の支持フレーム。
【請求項２】
前記翼部は、間隔を置いて平行なフィンの形態である、請求項１に記載の支持フレーム。
【請求項３】
前記翼部は、単一フィンの形態である、請求項１に記載の支持フレーム。
【請求項４】
前記翼部は、可撓性及び防水性の材料で作られたシール層で覆われている、請求項２又は３に記載の支持フレーム。
【請求項５】
さらに、前記本体を貫通して縦方向に形成され、前記ガラス煉瓦の長さ及び前記本体の厚さの合計に等しい間隔を置いて配置された複数の第１の貫通穴を含む、請求項２ないし４のいずれか１項に記載の支持フレーム。
【請求項６】
前記本体は、該本体の頂部及び底部から突出して形成され、該本体の前記両端部間に亘って長手方向に伸びる複数の平行な隆起の形態をなす波状の表面を有する、請求項５に記載の支持フレーム。
【請求項７】
さらに、第１のサイドバー及び第２つのサイドバーを含み、
前記第１のサイドバー及び第２つのサイドバーのそれぞれは管状体を備え、
該管状体は、
前記水平ビームの前記ランプ用のスロットに面する前記管状体の１つの側面に形成され、前記水平ビームの対応する前記ランプ用スロットに整列する少なくとも同一段に配列された複数の第1の開口部と、
前記第１の開口部を有する前記管状体の前記側面に隣接する他の側面に形成され、前記第１の開口部にそれぞれ隣接する複数の第２の開口部と、
前記管状体の前記側面に形成され、前記水平ビームの前記ピン穴にそれぞれが整列する第２の貫通穴と、
前記管状体の前記側面を取り外し可能に覆う取替え用カバーとを有する、請求項６に記載の支持フレーム。
【請求項８】
さらに、第３のサイドバーと、少なくとも１つの光源用細片とを含み、該光源用細片は、可撓性を有し、対応するランプ用スロットに着脱可能であり、該光源用細片に取り付けられた複数のＬＥＤを有する、請求項７に記載の支持フレーム。
【発明の詳細な説明】
【技術分野】
【０００１】
本発明は、ガラス煉瓦壁の支持フレーム、特にガラス煉瓦壁と共に組み立てられる、交換可能な光源を内部に有する支持フレームに関する。
【背景技術】
【０００２】
ガラス煉瓦壁は透明であり、複数の立方体のガラス煉瓦で構成され、多くは美観を増し、屋内を区分けするインテリアデザインに用いられる。
【０００３】
従来、ガラス煉瓦壁のガラス煉瓦を積み重ねるとき、ガラス煉瓦間には、ガラス煉瓦壁全体の支持フレームとして作用する鉄骨を煉瓦間に配置できるように形成された目地が設けられる。この目地には普通の煉瓦の組み立てと同様にセメントが充填される。
【０００４】
しかし、通常、ガラス煉瓦壁は屋内で組み立てられるため、組み立て時には、組み立て場所近辺の空いている床にセメントを置いて練り混ぜるという作業を要する。この作業で生じる埃と濁水によって屋内の環境が損なわれ、また、凝固して床に付着したセメントを除去しなければならないという問題がある。
【０００５】
また、家主は自分の敷地内でガラス煉瓦壁の組み立てを行う業者を雇う必要があることから、このための追加的な出費を強いられる。さらには、セメントによってガラス煉瓦同士をしっかり接合するためには、ガラス煉瓦間にセメント層の厚さを確保するために十分な幅の目地が必要となる。この厚いセメント層によって、ガラス煉瓦壁全体の美感、ひいては屋内の景観が大きく損なわれてしまう。
【０００６】
これに加え、屋内の景観がガラス煉瓦壁によって創出される場合には、壁の上に光源を置き、これより放たれる光がガラス煉瓦の内部を通り、神秘的な照明効果を創出し、屋内の景観を飾るという効果が期待される。しかし、光源の設置は場所をとるだけでなく、所望の装飾効果と照明効果とを維持するためには十分な明るさを必要とする。
【発明の概要】
【発明が解決しようとする課題】
【０００７】
本発明の目的は、ガラス煉瓦壁の支持フレームであって、適宜に取り替えることができるように配置された光源を内部に有する支持フレームを提供することにある。
【課題を解決するための手段】
【０００８】
前記の目的を達成するため、支持フレームは、複数の水平ビームと複数の垂直ビームとを有する。水平ビーム及び垂直ビームは、それぞれ、本体、２つの翼部、２つのランプ用のスロット、２つのカバー細片及びピン穴を有する。
【０００９】
前記本体は、細長く平らで、頂部、底部、２つの側部分及び２つの端部からなり、ガラス煉瓦壁を構成するガラス煉瓦の４つの側面の１つに対応する幅を有する。前記翼部は、前記本体の前記側部分から突出して長手方向に伸び、前記ガラス煉瓦の前記側面に配置されている。前記ランプ用のスロットは細長く、前記本体の前記頂部及び前記底部に窪んで長手方向に形成され、すなわち前記本体を貫通して形成され、対応する側壁を有する。前記カバー細片は透明で、前記ランプ用スロットの前記側壁に設置されている。前記ピン穴は、前記本体を貫通して形成されている。
【００１０】
好ましくは、支持フレームは第１のサイドバーと第２のサイドバーを備え、前記第１のサイドバー及び前記第２のサイドバーは、管状体と取替え用のカバーとを備えている。
【００１１】
前記管状体は、複数の第１の開口部、複数の第２の開口部及び複数の第２の貫通穴を備える。前記第１の開口部は、前記管状体の１つの側面に形成され、前記水平ビームの前記ランプ用スロットと向き合い、少なくとも同一段（Column）に配置され、それぞれ、前記水平ビームの前記ランプ用スロットに整列している。前記第２の開口部は、前記管状体の前記第１の開口部が設置された前記側面に隣接する別の側面に、それぞれ前記第１の開口部に隣接して形成されている。前記第２の貫通穴は前記管状体の前記第１の開口部を有する前記側面と同じ側面に形成され、それぞれ、前記水平ビームの貫通穴と整列している。前記取替え用カバーは、前記管状体の前記第２の開口部を有する側面を取り外し可能に覆っている。
【００１２】
好ましくは、支持フレームは、さらに、１つの第３のサイドバーと、少なくとも１つの光源用細片とを備え、前記光源用細片は、可撓性を有し、対応する前記ランプ用のスロットに着脱可能に設けられ、複数のＬEＤを備える。
【発明の効果】
【００１３】
前記支持フレームは、ガラス煉瓦を固定すべく、水平ビーム、垂直ビーム及びサイドバーを備える。前記支持フレームを使用してガラス煉瓦壁を組み立てれば、屋内の環境を損なうことがない。また、故障した光源用細片の取替えも、サイドバーを通して簡単に行うことができる。
【００１４】
したがって、前記支持フレームにより、組立て環境の整理整頓の保持、業者頼みに伴う追加的出費の抑制、ガラス煉瓦壁内の光源取替えの簡便化といった問題が解決する。
【図面の簡単な説明】
【００１５】
【図１】本発明に係る支持フレームを有するガラス煉瓦壁の正面図。
【図２】図1に示した支持フレームの第1の実施例の拡大斜視図。
【図３】図2に示した支持フレームの水平ビーム又は垂直ビームの一部を断面で示す側面図。
【図４】図1に示した支持フレームの第2の実施例の水平ビーム又は垂直ビームの一部を断面で示す側面図。
【図５】図2に示した支持フレームの一部を断面で操作を示す頂面図。
【図６】図2に示した支持フレームの他の操作を示す頂面図。
【発明を実施するための形態】
【００１６】
本発明の他の目的、利点及び新規な特徴は、添付図面を参照しての以下の詳細な説明により、さらに明らかとなろう。
【００１７】
図1を参照するに、本発明に係るガラス煉瓦壁の支持フレームの第1の実施例は、複数の水平ビームA、複数の垂直ビームB及び複数のサイドバーCを有する。
【００１８】
水平ビームAと垂直ビームBとは、ガラス煉瓦を囲んで支持するように互いに直角に配置されている。水平ビームAは、垂直ビームBと長さが同一であるが、ガラス煉瓦壁の構成に必要なガラス煉瓦の列数と段数により、前記水平ビームA及び前記垂直ビームBの長さを異ならせることができる。
【００１９】
図2及び図3を参照するに、各水平ビームA及び各垂直ビームBは、本体１０と、２つの翼部２０と、２つのランプ用のスロット３０と、２つのカバー細片４０と、ピン穴５０と、ピン６０と、少なくとも１つの光源用細片７０と、複数の第１の貫通穴１５とを備える。
【００２０】
本体１０は、細長く平らで、ガラス煉瓦壁を構成するガラス煉瓦８０（図１）の側部の幅に対応する幅を有する。本体１０は、また２つの波状の表面１１を有し、該波状の表面は、本体１０の頂部及び底部に形成され、しかもガラス煉瓦８０と接する際の摩擦が大きくなるように本体１０の両端部間に亘って長手方向に延びている。波状の表面１１は複数の平行な隆起の表面とすることもできる。
【００２１】
翼部２０は、本体１０の２つの側部分のそれぞれから突出して、その長手方向に形成され、隣接する２つのガラス煉瓦８０が相互に突き当たらないように、ガラス煉瓦８０の１つの側面の両縁部に配置されている。翼部２０は、間隔を置かれた平行な２つのフィンの形態をなしている。図４では、翼部２０Aは単一のフィンの形態をなしている。翼部２０Ａが薄ければ薄いほど、組立てに際して、隣接するガラス煉瓦間の目地を小さくすることができる。翼部２０はガラス煉瓦の防水のため、シール層２１で覆われている。シール層２１は防水性及び可撓性の材料からなる。
【００２２】
スロット３０は、細長く、本体１０の頂部及び底部を経て、すなわち本体１０を貫通して長手方向に形成されている。スロット３０は、２本のランプ溝３１と、２本のカバー溝３２とを備える。ランプ溝３１は、スロット３０の２つの側壁にその長手方向に設けられている。カバー溝３２は、前記側壁にその長手方向に形成され、スロット３０の開口部と隣接している。
【００２３】
カバー細片４０は透明であり、対応するスロット３０のカバー溝３２に嵌められている。ピン穴５０は、本体１０を貫通して形成されている。ピン６０（図２）の一端はピン穴５０に嵌められている。光源用の細片７０は可撓性を有し、対応するスロット３０に設置されたランプ溝３１に着脱可能に取り付けられ、細片７０に設けられた複数のLEDを有する。少なくとも1つの細片７０は選択的であり、水平ビームＡ又は垂直ビームＢに設置しない場合もある。第１の貫通穴１５は、本体１０を縦方向（図２の上下方向）に貫通して形成され、ガラス煉瓦８０の長さ寸法及び水平ビームＡ又は垂直ビームＢの本体１０の厚さ寸法の合計に等しい間隔が置かれている。
【００２４】
サイドバーＣ（図１）は、ガラス煉瓦壁の一側を支えてガラス煉瓦が崩れないようにし、水平ビームＡ又は垂直ビームＢのランプ用スロット３０内に設けた光源用細片の取替えを容易にする。
【００２５】
前記ガラス煉瓦壁の垂直ビームＢ内に光源用の細片７０を設けない場合、前記支持フレームは２本のサイドバーＣを備える。１本のサイドバーＣは、建物の壁とガラス煉瓦壁の垂直側壁との間に設けられる。他方のサイドバーＣは、ガラス煉瓦壁の反対側の垂直側壁と建物の壁との間又はガラス煉瓦壁の前記反対側の垂直側壁にのみ設けられる。
【００２６】
ガラス煉瓦壁の垂直ビームＢ内に細片７０を設ける場合、前記支持フレームは３本のサイドバーＣを備える。うち２本のサイドバーＣは垂直ビームＢ内に細片７０を設けない場合と同様に取り付けられる。残りの１本のサイドバーＣは、前記ガラス煉瓦壁の頂部に設けられる。それぞれのサイドバーＣは、前記ガラス煉瓦壁の高さ又は横幅と同じ寸法の長さを有し、管状体９０と取替え用のカバー９１とを有する。管状体９０の断面は四角形で、複数の第１の開口部９２、複数の第２の開口部９３及び複数の第２の貫通穴９４を有する。第１の開口部９２及び第２の開口部９３は、細片７０の取替えのために使用される。第１の開口部９２は、管状体９０の１つの側面に形成され、ランプスロット３０と向き合い、少なくとも同一段に形成されている。第１の開口部９２は、それぞれ、水平ビームのランプスロット３０に整列している。本実施例において、複数の第１の開口部９２は、同一段（Column）に配置されている。第２の開口部９３は、管状体９０の、第１の開口部９２を有する前記側面に隣接する他の側面に形成され、それぞれ第１の開口部９２と隣接している。取替え用カバー９１は、管状体９０の、第２の開口部９３を有する前記側面を取り外し可能に覆っている。第２の貫通穴９４は、管状体９０の前記側面に設けられ、水平ビームＡのピン穴に整列している。
【００２７】
図５及び図６を参照するに、水平ビームAのランプスロット２０内の細片７０が故障した場合には、取替え用カバー９１を対応するサイドバーCから外し、第２の開口部９３と第１の開口部９２とを経て細片７０に指を伸ばし、ランプスロット３０の溝３１に嵌っている細片７０を第２の開口部９３と第１の開口部９２とを通して引き出した後、新しい細片７０をランプスロット３０の溝３１に滑らせて取り付け、取替え用カバー９１を被せる。
【００２８】
支持フレームは、ピン６０とピン穴５０と接着剤とを使って、ガラス煉瓦８０と共に組み立てられ、ガラス煉瓦の組み積みにセメントを必要としない。これにより、セメントを混ぜてガラス煉瓦８０間に塗りつけることによる、屋内環境の悪化を招くことがない。また、ガラス煉瓦８０が翼部２０，２０Ａによって仕切られることにより、ガラス煉瓦８０間の目地を実質２ｍｍ程度とすることができるため、目地が大幅に小さくなり、ガラス煉瓦壁の美感を増すという効果がある。さらに、細片７０の取替えも簡単にできる。よって、家主は支持フレームのパーツを購入し、自分でガラス煉瓦と支持フレームとを組み立てることができるので、ガラス煉瓦壁の組立て及び維持のための追加的出費を節約することができる。
【００２９】
本発明の有する多くの特徴、及び優れた点を、発明の構造と機能の詳細をあげて上記実施例に記載したが、すべての実施例を記載することはできない。本発明は、本発明の原理の範囲内で、細かな点、特に形状、大きさ及び部品の配置を変更しての実施が可能である。
【符号の説明】
【００３０】
１    ガラス煉瓦壁の支持フレーム
Ａ    水平ビーム
Ｂ    垂直ビーム
Ｃ    サイドバー
１０  本体
１１  波状の表面
１５  第１の貫通穴
２０、２０A  翼部
２１  シール層
３０  ランプ用のスロット
３１  ランプ溝
３２  カバー溝
４０  カバー細片
５０  ピン穴
６０  ピン
７０  光源用の細片
８０  ガラス煉瓦
９０  管状体
９１  取替え用のカバー
９２  第１の開口部
９３  第２の開口部
９４  第２の貫通穴
【図１】
0005152733.tif 000002
【図２】
0005152733.tif 000003
【図３】
0005152733.tif 000004
【図４】
0005152733.tif 000005
【図５】
0005152733.tif 000006
【図６】
0005152733.tif 000007